Podtech/llm-jp-corpus-v4-ja_patent huggingface dataset:
(57)【要約】【課題】内部にクラックや散乱体が無い事はもちろんのこと、着色や歪のない大型のKTaO3単結晶およびその製造方法を提供することを課題とする。【解決手段】セルフフラックスにより製造され、原料として高純度のK2CO3とTa2O5を用い、K2CO3とTa2O5の比が（K/（K+Ta））（53％〜65％）の出発組成で溶融し、溶融後の高温での冷却速度が2℃／ｈｒ以下に制御し密度が7.00ｇ/ｃｍ3以上の単結晶を製造することを特徴とするKTaO3単結晶およびその製造方法である。【選択図】なし【特許請求の範囲】
【請求項１】
密度が7.00ｇ/ｃｍ3以上であることを特徴とするKTaO3単結晶。
【請求項２】
セルフフラックス法を用い、原料としてK2CO3とTa2O5の比（K/（K+Ta））が53％〜65％の出発組成で結晶成長をさせ、かつ温度降下速度を毎時２℃以下にすることにより密度が7.00ｇ/ｃｍ3以上のKTaO3単結晶を得ることを特徴とするKTaO3単結晶の製造方法。
【請求項３】
熱処理を行なって、密度を7.00ｇ/ｃｍ3以上にすることを特徴とする請求項２に記載のKTaO3単結晶の製造方法。
【発明の詳細な説明】
【０００１】
【発明の属する技術分野】
本発明は、光学素子の材料となりうるKTaO3単結晶に関する。
【０００２】
【従来の技術】
KTaO3は、結晶構造がペロブスカイト構造をもち、且つ、融点から低温まで、構造相転移を持たないことが特徴とされている。また、KNbO3と全率固溶することが知られており、KTaxNb1-xO3のｘ＝0.65近傍で、大きな電気光学効果を示すことから注目を集めている。（W.R.WILCOX 他:Journal of American Ceramic Society 1966 Vol.49, No.8, 415)
最近、光通信分野では、高速に動作するスイッチ素子が求められ、多くのデバイスが提案されつつある。そのなかで、KTaO3は自身は電気光学効果は持たないが、KNbO3との混晶であるKNｂxTa1-xO3組成の薄膜をKTaO3基板上に形成し、大きな電気光学効果を持つ導波路を形成できる可能性があることから,有望な高速動作スイッチ素子として期待できる。また、このKTaO3基板にY系高温超伝導薄膜を成長させると抵抗率-温度曲線が通常用いられているSrTiO3基板より向上していることが報告されており今後、超伝導用基板としても注目されつつある。（内藤  他：応用物理  第７１巻  第５号（2002）536）
KTaO3単結晶の製造方法として、セルフフラックス法が有効であることは知られており、シードを用いるTSSG法ないし、徐冷して坩堝内に自然核発生から結晶を成長させる方法がしられている（特許出願公告  昭43-4658）。しかし、できた結晶の品質については詳細な記述がなく、近年注目されつつあるデバイス用に使用できるかは不明であった。
【０００３】
【発明が解決しようとする課題】
KTaO3単結晶のような酸化物単結晶の製造においては、特に大型結晶として工業的に生産することを目的とした先行例はすくなく、現状では製造方法が確立されているとは言いがたい。
【０００４】
大型の結晶を育成すると白濁や光散乱体が内在したり、黄色に着色したりする問題がある。デバイスに使用される結晶としては、内部にクラックや散乱体が無い事はもちろんのこと、着色や歪も問題となりデバイス用としては不十分であった。
【０００５】
このような問題の解決のために、本発明においては、良好な性状を有する単結晶を製造できる製造方法ならびに単結晶を提供するものである。
【０００６】
【課題を解決するための手段】
本発明は、密度が7.00ｇ/ｃｍ3以上であることを特徴とするKTaO3単結晶である。
また本発明は、セルフラックス法を用いて、出発組成がK2CO3とTa2O5の比（K/（K+Ta））で53％〜65％の範囲にあり、高温での温度降下速度が毎時２℃以下にして密度が7.00ｇ/ｃｍ3以上のKTaO3単結晶を得ることを特徴とするKTaO3単結晶の製造方法である。
さらに本発明は、成長後に熱処理を行なって、密度が7.00ｇ/ｃｍ3以上であることが好ましい。
本発明によれば、着色、亀裂、光散乱体のない高品質の単結晶が得られる。
結晶の平面寸法が20ｍｍ×20ｍｍ以上であることが、このような効果が顕著に表れるので好ましい。
【０００７】
【発明の実施の形態】
本発明者らはセルフフラックスの割合と温度降下速度を数々の条件に設定し結晶を成長させ、得られた結晶の評価を行なった。そして、驚くべきことに、良質な結晶としての密度がある一定値以上であることを発見し、本発明に至った。以下、詳細に説明する。
【０００８】
高純度（99.99%）のK2CO3と、Ta2O5を混合して白金ルツボに充填し、その後1400℃に加熱、溶融し、1120℃までゆっくり冷却した。その後、室温まで冷却してルツボの中からKTaO3結晶を取り出した。この時高温での冷却速度が0.1℃/ｈｒの場合はTSSG法で、それ以外は徐冷法で成長させた。
【０００９】
原料のK2CO3とTa2O5の比と、1400℃から1120℃までの冷却速度を種々変えて育成した結晶について密度を測定し、かつその性状を調べた。その結果を表１に示す。得られた結晶は着色や散乱体、クラック、白濁などの欠陥が観測されるものもあり、その有無は密度が７ｇ／ｃｍ3前後で変動がみられた。着色やインクルージョンが有るサンプルは密度が７.00ｇ／cm3未満であり、これらがない良質なサンプルは密度が大きく７.00ｇ／cm3以上であった。たとえば、サンプル番号１は、冷却速度を毎時1℃で育成した結晶で、やや薄茶色に着色していた。この結晶の光透過率を測定すると短波長での吸収が比較的大きかった。この結晶の密度を測定すると6.996ｇ／ｃｍ3であった。この結晶を1000℃で１０時間、大気中で熱処理したところ、着色はなくなり、透過率も高くなっていた。驚くべきことに、密度も7.009となっていた。密度の測定はアルキメデス法で、島津比重測定装置（SGM-300P)を使用した。このように成長後の密度が7.00ｇ／ｃｍ3以上であれば、熱処理により着色をなくすことができるという効果が認められた。
【００１０】
さらに表１より以下のことがわかる。密度が７.00ｇ／cm3以上で品質の高い結晶となる。この密度を持つサンプルは原料の組成比で５４〜６１％が好ましいことがあきらかである。また、1400℃から1120℃までの冷却速度は２℃／ｈｒ以下であることが好ましい。冷却速度が５℃／ｈｒ以上では密度７.00ｇ／ｃｍ3を超えるものは１つもなかった。表１より品質が良い密度７.00ｇ／ｃｍ3以上のサンプルに着目して図１を作成すると、原料の組成比で53％〜65％で品質の良い結晶が製造できると推定できる。さらに、冷却速度について図２を作成すると、冷却速度に関しては毎時２℃以下あることが好ましいことが明らかである。
【００１１】
【発明の効果】
本発明により、デバイス用の良質で大型結晶が容易に得られ品質の評価も容易に行なえるようになるため、工業的に効果は甚大である。
【００１２】
【表１】
2004203648.tif 000002
【図面の簡単な説明】
【図１】原料の組成比と密度との関係を示す図。
【図２】冷却速度と密度との関係を示す図。
【図１】
2004203648.tif 000003
【図２】
2004203648.tif 000004
(57)【要約】【課題】切り花を生きたままの形で長期的に保存する方法や溶液は、今までも色々と考えられてきたが、切り花の元の色が残せず、色素による着色をせざるを得なかった。この方法により元の花の色が残せるようになり、より自然な形で切り花を長期的に保存出来るようになった。【解決手段】花の根本に穴を開け、減圧状態での強制吸い上げと毛細管現象を利用し、その穴から保存液を吸わせることにより、元の花の色を残せるようになった。その時アセトンやアルコール等の有機溶剤を全く使わないか、出来るだけ使わないようにすることが、色を残す最大のポイントである。そのためには、花による吸い上げ力、特に初期の吸い上げ力の向上が重要であり、減圧状態が必要となった。その後は毛細管現象だけでも、充分吸い上げ、３日から１週間で出来上がる。【選択図】      なし【特許請求の範囲】
【請求項１】
切り花の組織水をエチレングリコール、グリセリン、ポリエチレングリコール等の多価アルコール類の保存溶液に減圧工程の中で置き換える、切り花の保存方法、並びに保存液及び保存花の製作装置
【発明の詳細な説明】
【０００１】
【発明の属する技術分野】
本発明は、切り花の保存処理液及び保存処理方法に関するものである。
【０００２】
【従来の技術】
バラ等の切り花を生花と同様な外観を保持したまま、長期間に渡る保存を可能にする処理方法は、例えば特許出願公表平４−５０５７６６号公法において提案されている。この処理方法は切り花の組織内の水、即ち組織水を脱水した後、ポリエチレングリコールを浸透させて、組織水をポリエチレングリコールによって置換し必要に応じて染色を行うものであり、概ね図１に示すように、脱水工程、浸透工程、乾燥工程を順次経て処理を行い、生花と同様な外観を保持した製品としての切り花を得るものである。
【０００３】
脱水工程は底部にゼオライトを敷き、水より軽い溶媒、例えばアセトン等の無水有機溶媒を充填した容器内に切り花を固定して行う。この工程では切り花の組織水は次第に溶媒に溶出すると同時に、溶媒が組織内に移行するので、切り花の組織は見た目の形状を保ったまま、脱水される。
【０００４】
浸透工程は、浸透させるべきポリエチレングリコールを、アセトン及びセロソルブに溶解した浸透溶液を充填した容器内に固定して行い、この際ポリエチレングリコールは、分子量の異なるものを適宜に配合して使用する。この時、例えばアクリル繊維用の染料のような色素を配合することによって、色素がポリエチレングリコールと共に切り花の組織内に浸透して染色が行われる。
【０００５】
浸透工程が終わった後、次の乾燥工程に移り、乾燥を行って、製品としての切り花となる。
【０００６】
【発明が解決しようとする課題】
上記のような切り花の保存処理方法では、組織水をアセトン等で脱水する際、同時に花の色素も抜けてしまい、元の色を残すことなど到底出来なかった。又、アセトンの代わりにアルコールを使う置換法も同様であった。
【０００７】
【発明が解決するための手段】
アセトンによる脱水工程やアルコールによる置換工程を止め、減圧状態の中でいきなり保存液を吸わせ、組織水と共に花の色素が抜けるのを防ぐ方法、並びにその保存液及び製作装置の開発である。
【０００８】
【発明の実施の形態】
花首の根本に千枚通し等で穴を開け、花首すれすれの所まで保存液が来るように器具で固定し、減圧状態にした器具の中で、花首に開けた穴から保存液を吸わせる方法である。その時の保存液は多価アルコールで、例えばグリセリン１００に水５０とアルコール５０を混ぜたものである。最初に図２、図３に示すような、真空ポンプや掃除機に繋いだ減圧装置の中で１，２時間減圧すると、後は毛細管現象で吸い上がり、３日から７日ほど保存液に浸けて出来上がる。その時、他の多価アルコールでも良いが、グリセリンでの出来が良いのは、グリセリンが水に混ぜないと、単体ではアルコールに溶解しないためである。
【０００９】
【実施例１】
赤いバラを花首から穴を開け、ペットボトルの上部を切り取った中空の器具の上に乗せ、グリセリン１００，水５０，メタノール５０の割で混ぜた保存液を花首すれすれまで入れた容器の中に固定し、減圧装置に入れた。その後真空ポンプで５００へクトパスカルに１時間減圧した後、３日間放置した。その後保存液から取り出した上記のバラは、元の赤い色を残したまま、１年以上新鮮さを維持した。
【００１０】
【実施例２】
黄色のバラを花首から穴を開け、針金で作った中空の台座の上に乗せ、ポリエチレングリコール１０００と水を１対１に混ぜた保存液を花首すれすれまで入れた容器内に固定し、減圧装置の中に入れた。その後６００ヘクトパスカルに２時間減圧した後、７日間放置した。その後保存液から取り出した上記のバラは、元の黄色い色を残したまま、１年ほどみずみずしいまま新鮮さを保持した。
【００１１】
【発明の効果】
以上説明したように、減圧装置を使うことによって、保存液の初期の吸い上げ力が増すと、その後は毛細管現象により吸い上げ持続することが分かる。この時、アルコールに溶けないグリセリンには水と混ぜてアルコールを少量使い、その他の多価アルコールには、アルコールやアセトン等の有機溶剤を使わずに保存液を吸わせると、花の元の色を残したまま、花の中の組織水を保存液に置き換えることが出来る。それによって、今まで出来なかった着色用の色素を使わない、自然のままの切り花の保存が可能になった。
【図面の簡単な説明】
【図１】特許出願公表平四ー５０５７６６号公報等に有るような、今までの工程。
【図２】真空ポンプ、掃除機等を使った減圧装置１。
【図３】真空ポンプ、掃除機等を使った減圧装置２
【図１】
2004203814.tif 000002
【図２】
2004203814.tif 000003
【図３】
2004203814.tif 000004
(57)【要約】「課題」  スタツドレスタイヤ全体の寿命は、磨耗が激しいトレツドパターンで殆んど決定されている。「解決手段」  表面に凹または凸型の各種パターンを設けたベースタイヤ（２）を自動車に装着する。このベースタイヤの外表面の凹または凸型形状（４）に、裏面が凸または凹型の逆形状で熱収縮後完全にベースタイヤに勘合し、かつその表面には熱収縮後にスタツドレスタイヤのトレツド面となる円筒状広幅のゴム収縮チューブ（３）を製作する。これをこのベースタイヤ表面に載せ、加熱、収縮させて両界面を強固に固着させる。その上必要ならば両界面に接着剤か、ベースタイヤに設けたネジ座とチューブの溝底のネジ座金とをネジ留めしてもよい。トレツドパターンが寿命のときには、何度もこのチューブを取り替えてタイヤの寿命を延ばす。【特許請求の範囲】
【請求項１】
まず表面を多数の直線、ジグザグ、円弧状等凹型の溝（５）が、それぞれ独立、または交差する形状、またはスポツト状の円柱、多角柱、多角錐状等の凹型の穴形状、さらにこれらをそれぞれを組み合わせた凹型の各形状、またはそれらと逆の凸型の形状にしたベースタイヤ（２）を製作する。
このベースタイヤ表面上に、裏面がこれら形状に完全に勘合する逆の凸型、または凹型の形状で、その表面はスタツドレスタイヤ、または普通タイヤと同じトレツド形状（４）の合成ゴム、またはそれに付加材料を混練した材料から造られた円筒状の架橋熱収縮チユーブ（３）を挿入して加熱、収縮させて強固に固着させる。その上必要ならば両界面に接着剤か、ネジ座等を設けてネジ止めをする。トレツドが寿命のときには何度もこの熱収縮ゴムチユーブを取り替えてタイヤ（１）の寿命を延ばす。
【発明の詳細な説明】
【０００１】
「産業上の利用分野」
この発明は自動車、自転車等のタイヤに関するものである。
【０００２】
「従来の技術」
雪国で必須のスタツドレスタイヤは高価で、その寿命は普通タイヤに比べかなり短く、かつ年二回のタイヤ交換費用も無視出来ない。
【０００３】
「発明が解決しようとする課題」
タイヤ全体の寿命は磨耗が激しいトレツドにより殆んど決定されている。このトレツド部分だけを毎回、本発明の熱収縮ゴムチユーブタイヤで履き替えて、タイヤ全体の寿命を延ばそうとするものである。
【０００４】
「問題を解決する為の手段」
表面に前述の凹型の溝（５）（または凸型）、必要ならばネジ金具をあらかじめ設けたベースタイヤ（２）に、円筒状広幅の熱ゴム収縮チユーブで、その裏面に、熱収縮後完全にベースタイヤ表面の凹または凸型形状等に完全に勘合し、その外面には、熱収縮後にいわゆるスタツドレスタイヤのトレツド面となるこの円筒状広幅の熱収縮ゴムチューブ（３）を挿入して加熱、収縮させて強固に固着させる。その上必要ならば両界面を接着剤か、ベースタイヤのネジ座とネジ留めで固定してもよい。
【０００５】
「作用」
普通タイヤ、スタツドレスタイヤを問わず、ベースタイヤ表面上に加熱収縮させて被せたゴムチユーブのトレツド表面が磨耗すると、これをベースタイヤからカツター等で除去して、新しい本ゴム熱収縮チューブを被せて加熱、収縮させて界面を強固に固着させると、安い費用と僅かな手間で新品同様なタイヤに変えることが出来る。
【０００６】
「効果」
従来は雪国で冬になれば、高価なスタツドレスタイヤを購入し、高い手間賃を払らい普通タイヤを履き替えねばならない。また春になれば再び手間賃をかけて普通タイヤに戻さねばならない。スタツドレスタイヤのトレツド表面形状が磨耗すれば、タイヤでトレツド以外は寿命でないのにまた高価な新品のスタツドレスタイヤを購入しなければならない。本発明によればトレツド部だけを、何度も安い材料費と簡単な手間で履き替えて再び使用出来るので、タイヤの寿命を何倍にも延ばすことが出来る。
【図面の簡単な説明】
図は本発明のベースタイヤ（２）に熱収縮チューブ（３）を被せたタイヤ（１）の縦断面図を示す。
【符号の説明】
１    タイヤ    ２    ベースタイヤ    ３    合成ゴム熱収収縮チューブ
４    スタツドレス・トレツドパターン    ５    溝
【図１】
2004203363.tif 000002
(57)【要約】【目的】自動車保有総台数の大幅増加により、道路渋滞、混雑状態も日を追って悪化しつつあり、それによる事故も増加傾向にある。その事故原因の大きなものの一つに右左折及び後退時に後続車両や逆方向走行車と衝突する、横断中の人と接触するなどの事故がある。これらは現在総台数中、僅か１，２％程度の大型自動車のみにしか警告装置が付けられていない事も事故を誘発している。本発明は現下の全面的交通戦争下にあって、事故減少の一手段を提供せんとするものである。【構成】本発明は従来法律的に製造段階で組み込み取り付ける事が義務付けられている大型自動車以外の一般的自動車類に、その車の使用者などが町の自動車部品店などで買って来て、簡単に取り付けられる後付けセットとして、後退右左折時の警告装置を簡単に製造できるものとした。【特許請求の範囲】
【請求項１】
自動車又はその他の車両（以下この「自動車又はその他の車両」を「自動車類」と呼称する）に、取り付け又は接着又は嵌合する音声再生又は音声発出装置と、その装置に有線又は無線、又は音波、又は赤外線、又はその他の連絡方法で接続し、且つ自動車類の右左折信号灯又は後退信号灯を取り付ける捩じ込み又は嵌合部分に、一旦それら信号灯を外して、その部分に捩じ込み又は嵌合し、その後再びそれら信号灯を捩じ込み又は嵌合する中間ソケット又はその他の指示装置を組み合わせ、この組み合わせを取り付ける事により、自動車類の運転中、右左折指示操作或いは後退指示操作により、右左折信号灯又は後退信号灯に通電された時、自動的に前記中間ソケット又はその他の指示装置にも通電され、それにより自動的に前記音声再生又は音声発出装置に起動指示信号が送られ、同装置が起動し、「この車はバックします。後ろの方は御注意願います」「この車は左折します。御注意願います」等の、注意を促す警告録音人語又は警告合成人語或いはその他の警告音声を発出する、そのような自動車類の右左折時又は後退時又はその両時点に作動する、後付け用警告装置セット。
【請求項２】
請求項１の後付け用警告装置セットの、中間ソケット又はその他の指示装置の代りに、音声再生又は音声発出装置と接続するリード線に端子を付け、その端子をドーナツ状薄板形状とし、一旦右左折信号灯又は後退信号灯を外して、それら信号灯をドーナツ穴部分に潜らせて接続させる、又はその他の形状方法で右左折信号灯又は後退信号灯又はソケットに接続させる端子を付けた、端子接続方式の自動車類の右左折時又は後退時又はその両時点に作動する、後付け用警告装置セット。
【請求項３】
請求項２の後付け用警告装置セットの、音声再生又は音声発出装置と接続するリード線の端子の代りに、リード線の末端を露出した電線とし、一旦右左折信号灯又は後退信号灯を外すか或いは緩めてその基部に巻き付ける、或いはソケットに挿し入れてから右左折信号灯又は後退信号灯を取り付ける、そのような方式とした自動車類の右左折時又は後退時又はその両時点に作動する、後付け用警告装置セット。
【請求項４】
請求項２の後付け用警告装置セットの、音声再生又は音声発出装置と接続するリード線の端子の形状を、他のリード線に挟み付ける形状とし、一旦右左折信号灯又は後退信号灯の取り付け基部を外して、裏側で右左折信号灯又は後退信号灯の基部に接続しているリード線に挟み付けて接続する方式とした、自動車類の右左折時又は後退時又はその両時点に作動する、後付け用警告装置セット。
【請求項５】
請求項３の後付け用警告装置セットの、音声再生又は音声発出装置と接続するリード線の末端露出電線を、一旦右左折信号灯又は後退信号灯の取り付け基部を外して、裏側で右左折信号灯又は後退信号灯のソケットに接続しているリード線に巻き付ける又はその他の方法で接続させる方式とした、自動車類の右左折時又は後退時又はその両時点に作動する、後付け用警告装置セット。
【請求項６】
請求項１の後付け用警告装置セットの、中間ソケット又はその他の指示装置の代りに、右左折信号灯又は後退信号灯のカバーレンズ内に取り付ける光りセンサー器具を組み合わせ、自動車類の右左折時又は後退時に右左折信号灯又は後退信号灯が点灯すると、その光に反応し音声再生又は音声発出装置に連絡起動させる方式とした、自動車類の右左折時又は後退時又はその両時点に作動する、後付け用警告装置セット。
【請求項７】
請求項１の後付け用警告装置セットの、中間ソケット又はその他の指示装置の代りに、音声再生又は音声発出装置と接続するリード線の末端を適宜な方法でリレーユニットに接続し、右左折指示操作を行うと自動的に音声再生又は音声発出装置を起動させ、右左折警告の音声を再生又は発出する、自動車類の右左折時に作動する、後付け用警告装置セット。
【請求項８】
請求項７の後付け用警告装置セットの、音声再生又は音声発出装置と接続するリード線の末端をリレーユニットに接続せず、代りに適宜な方法でバックスイッチに接続し、後退指示操作を行うと自動的に音声再生又は音声発出装置を起動させ、後退警告の音声を再生又は発出する、自動車類の後退時に作動する、後付け用警告装置セット。
【請求項９】
請求項１、同２、同３、同４、同５、同６、同７、の「自動車類」を、「二輪車類」に変更し、且つそれぞれの文中の「又は後退信号灯」、「又は後退指示操作」、「又は後退時」、の文言を除去した、二輪車類の右左折時に作動する、後付け用警告装置セット。
【発明の詳細な説明】
【０００１】
【産業上の利用分野】
自動車業界及び二輪車業界
【０００２】
【従来の技術】
従来より後退右左折時の音声による警告装置は大型自動車等には法律的に自動車製造段階で組み込み取り付ける事が義務付けられている。その為大型トラック、バスなどは警告装置付きで販売されている。
【０００３】
【発明が解決しようとする課題】
しかし乍ら我が国内で自動車類の保有総台数は８５００万台以上に達し、更に年々なお増加傾向にあり、道路の渋滞、混雑状態は日を追って悪化しつつあり、それによる事故も増加傾向にある。そして事故原因の大きなものの一つに右左折及び後退時に後続車両や逆方向走行車と衝突する、横断中の人と接触するなどの事故がある。これらは前記８５００万台以上の総台数中、僅か１％程度の大型自動車のみにしか、警告装置が付けられていない事も事故を誘発している。今や事故の減少の為には、全ての自動車、二輪車類にも警告装置が付けられるべきである。
【０００４】
【解決するための手段】
本発明は従来法律的に製造段階で組み込み取り付ける事が義務付けられている大型自動車以外の一般的自動車・二輪車類に、その車の使用者などが町の自動車部品店などで買って来て、簡単に取り付けられる後付けセットとして、後退右左折警告装置を提供する事により、事故を減少せんとするものである。
【０００５】
【作用１】
価格的に数千円の安価で提供できると思われるが、その程度なら事故を恐れる自動車使用者のかなりの人々が購入取り付けると思われ、普及一般化すれば後退右左折に伴う事故は大幅に減少するであろう。
【０００６】
【作用２】
また本発明品が輸出向きに生産されればアメリカ等日本以上に自動車数が多く、又事故も多発している世界の先進各国においても事故が大幅に減少するであろうし、日本の輸出額向上にも役立つ。
(57)【要約】【課題】車両ホームドアの開閉にあたっては確実な安全の確認が必需である。従来の機械設備では地上設備からの一方的なホームドア開閉操作によるか車両側からの無線装置を介した信号により開閉しており複雑であり、簡便で確実な安全の確認手段が少ない。【解決手段】車両の到着時にホームドア装置側に設置された画像入力装置により車両側面に設置してある車側灯の点灯状態を判別し、車側灯点灯時にはホームドア装置のドアを開き、車側等消灯時にはホームドア装置のドアを閉める。このホームドア装置により、車両側からのドア開閉信号の授受や地上側に設備の追加無しで車両のドアと連動しての開閉動作が可能となる。【選択図】    図１
2004203320.tif 000002
【特許請求の範囲】
【請求項１】
車両の到着時にホームドア装置側に設置された画像入力装置により入力される車両の映像から車両側面に設置してある車側灯の点灯状態を判別し、車側灯点灯時にはホームドア装置のドアを開き、車側等消灯時にはホームドア装置のドアを閉めるホームドア装置。
【請求項２】
車両の到着時に車両側面に設置してある車側灯の点灯状態を判別するためのホームドア装置側に設置された画像入力装置の替わりに簡易的な受光センサを用いることを特徴とする請求項１記載のホームドア装置。
【発明の詳細な説明】
【０００１】
【発明の属する技術分野】
本発明は、ホームドア装置、もしくはホーム柵装置に関するものである。
【０００２】
【従来の技術】
従来のホームドア装置のドア開閉は、地上設備側からの一方的な開閉操作によるものか、車両側からのドア開閉信号を車両特有の無線装置等を介して受け取り開閉動作を行っていた。また特許文献１では車両扉自体の開閉状態検知センサーに関する新しい技術が示されており、光波距離計や光学式センサーなどにより車両扉自体の開閉状態を検知している。
【０００３】
【特許文献１】
特願２０００−０７４３７０（特開２００１−２６４０１３）
【０００４】
【発明が解決しようとする課題】
ホームドア装置は、車両のドアと連動して開閉動作をさせるのが理想的ではあるが、それを実施しようとすると車両側からのドア開閉信号を何らかの方法で受け取らなければならず、地上側に設備の追加を余儀なくされた。また、車両側からのドア開閉信号を受け取れたとしても、ドアの再開閉時には通常の車両では特定のドアの判別信号までは出力されない。車両側のドア自体をカメラや光学式センサーなどで撮影しドアの開閉状態を識別してホームドアを開閉させる方法も考えられるが、車両のドア自体を撮影しようとすると、人などの障害物が多く、画像処理装置に高度な処理能力を要求するものとなってしまう。また、車両のドア自体を撮影するカメラをホームドア装置に設置するには、構造上困難である。
【０００５】
【課題を解決するための手段】
車両の到着時にホームドア装置側に設置された画像入力装置により入力される車両の映像もしくは簡易的な受光センサの入力から車両側面に設置してある車側灯の点灯状態を判別し、車側灯点灯時にはホームドア装置のドアを開き、車側等消灯時にはホームドア装置のドアを閉める。
【０００６】
【発明の実施の形態】
図１の実施の形態において、ホームドア装置１のフレーム１０に車両２０の車側灯２１が撮影できる位置に画像入力装置としての撮影装置もしくは受光センサ３１を設置する。撮影装置もしくは受光センサ３１から入力された映像もしくは入力信号は、図２に示す制御ブロック内の判別装置４０で判別され、開閉信号としてホームドア開閉制御装置４１に入力され、ホームドア装置１のドアを開閉させるアクチュエータ部４２、４３を動作させ、ドア４４、４５を開閉動作させる。
【０００７】
【発明の効果】
このホームドア装置により、車両側からのドア開閉信号の授受や地上側に設備の追加無しで車両のドアと連動しての開閉動作が可能となる。
【０００８】
ドアの再開閉時には該当車両の車側灯が点灯しているため、該当車両のドア部のホームドア装置のドア部のみを開状態にすることが可能となる。
【図面の簡単な説明】
【図１】本発明のホームドア装置。
【図２】本発明のホームドア装置の制御ブロック図
【符号の説明】
１          ホームドア装置
１０        フレーム
２０        車両
２１        車側灯
３１        撮影装置もしくは受光センサ
４０        判別装置
４１        ホームドア開閉制御装置
４２        アクチュエータ
４３        アクチュエータ
４４        ドア
４５        ドア
【図１】
2004203320.tif 000003
【図２】
2004203320.tif 000004
(57)【要約】      （修正有）【課題】絵の具が乾燥する前のキャンバスを持ち運びできる絵画ケースを提供する。【解決手段】描いた絵の部分に触らないような位置で、且つ、表裏の間に充分な空間が出来る様に、一緒に丸める事の出来る柔軟性のあるスペーサーを取り付けた別の硬い板状の下敷きを用意し、この上に乗せて小さくロール状に丸めて運ぶ。又、絵画を広げるときの携帯用フレーム付絵画枠は、折りたたみ式で、絵画の張りを調整する長さ微調整機能を有する。【選択図】      図１
2004203003.tif 000002
【特許請求の範囲】
【請求項１】
油絵等の運搬に際して、表裏の間に一定の空間を持たせる事により、互いに接触したりして損傷する事なく、且つ、渦巻き状に小さく丸めて運搬する事を可能にした絵画用運搬ケース。
【請求項２】
請求項１の如くに運搬する絵画を、簡単に、通常の絵画を描くに足りる、或いは展示するに充分な程度に張りを持たせた状態にセットアップ出来るようにした携帯用絵画枠
【発明の詳細な説明】
【０００１】
【発明の属する分野】
油絵等の絵画は損傷しやすい為、持ち運びは難しく、通常そのままの形で箱等に収めて運搬しているが、大きなものもあり、簡単に持ち運びは出来ないのが現状である。これを小さく丸めて運搬をし易くすると共に、運搬後も簡単に広げて張り、描いたり、又、展示をしたりする事を可能にする。
【０００２】
【従来の技術】
油絵等のキャンバスは描く為に充分な張りが必要で、この為、木枠にキャンバスを張り、釘で打ち付けたものが使われる。従って、大きなものは持ち運びに困難を極め、移動する時には運送業者に依頼したりしている。更に、描いた後には絵の具などが乾燥するまでは輸送ができなかった。又、意匠による特許調査では、現在公示されているものの中にこれを解決するものは見出せない。
【０００３】
【発明が解決しようとする課題】
油絵等のキャンバスは、描いた部分が損傷しない様に工夫すれば、曲げたりする事は可能で、ロール状に丸めて筒状の物に収納が可能となる、又、これを移動後に再度広げる為に、携帯可能で、且つ、充分に張る事の出来る枠があれば、絵画そのものが、簡単に運搬できるようになる。
【０００４】
【課題を解決するための手段】
絵画の運搬中の損傷を防ぐ為に、描いた絵の部分に触らないような位置で、且つ、間に充分な空間が出来る様に、一緒に丸める事の出来る柔軟性のあるスペーサーを取り付けた別の硬い板状の下敷きを用意し、この上に乗せて小さくロール状に丸めて運ぶ。又、広げる時は同様に、極力おりたたみ式にした、且つ、簡単に充分にぴんと張れるフレーム付き携帯用絵画枠にて、これをセットする。
【０００５】
【発明の実施の形態】
本発明は、油絵等のキャンバス地を、絵を描く事や展示する事が充分に出来る程に張る事を可能にした脱着可能、且つ、携帯用の枠に張ってこれを行い、更に、その枠を一部取り外し、特殊ケースに丸めて収める事によって、所謂、描いた部分を損傷させる事なく、絵画としての運搬を容易にする所の絵画携帯ケースに収納してこれを行もので、アウトドアでの写生等にも適用できる。
【０００６】
【実施例】
実施例について図面を参照して説明すると、装置は図１から図５の様な構成となる。まず、運搬に際しては、図１の様な、スポンジ等の比較的に軟らかな材料のスペーサーを取り付けた下敷きの上に、図４の如く絵画に携帯用絵画枠Ｂを取り付けて、一緒に筒に捲く。こうして図２の様な状態に一体化した絵画を一般的な筒状のケースに収納して運ぶ。さらにこれを、絵を描く為や展示の為に、広げる時は、携帯用絵画枠Ｃを同様に絵画に取り付け、携帯用フレームの上に図３（Ａ）の如く取り付けるが、いずれの絵画枠も図５の如くにフレームにはめ込む。特に、フレームのＧ部分にはローラーが付いている為、サイドフレームＦにある長さ微調整部分でサイドフレームＦの長さを伸ばす事により、絵画全体が強く張れ、絵画を描いたり、展示したりできる。
【０００７】
【発明の効果】
本発明は、絵画の描いた部分を損傷させる事なく、コンパクトな絵画携帯ケースに収納して運搬を行い、さらにこれを、脱着可能な携帯用の枠に張って絵を描く事や展示する事を可能にしたもので、完全に乾燥するまで待たずに運搬する事が可能になり、アウトドアでの写生等にも適用でき、従来では運送業者に依頼するしかなかった大きな絵画も、基本的には少なくともその最大長の筒にまでコンパクト化をして運ぶ事が可能となる。
【図面の簡単な説明】
【図１】絵画運搬ケースに絵画を取り付けた状態。
【図２】絵画ケースを運搬する為に丸めた状態。
【図３】絵画を広げ、フレームを全て取り付けて、絵を描く、又は、展示する事を可能にした状態（絵画裏面）。
【図４】絵画キャンバスへの絵画枠の取り付け。
【図５】絵画枠を絵画と共にフレームエンドへはめ込む部分。
Ａ：絵画枠とフレームエンドのはめ込み部
Ｂ：短い方の携帯用絵画枠
Ｃ：長い方の携帯用絵画枠
Ｄ：絵画メインフレーム
Ｅ：絵画サイドフレーム
Ｆ：絵画サイドフレーム（長さ調整機構付き）
Ｇ：絵画枠とローラー付きフレームエンドのはめ込み部
【図１】
2004203003.tif 000003
【図２】
2004203003.tif 000004
【図３】
2004203003.tif 000005
【図４】
2004203003.tif 000006
【図５】
2004203003.tif 000007
(57)【要約】【課題】スリットにメモ用紙を挟んで、立体的に、コンパクトに収納するメモスタンドを提供する。【解決手段】ベース部に組立式に立設するスタンド部を設け、スタンド部の片面に数本のスリットを入れ、スリットの切り口の下部にテーパーを設けたことを特徴とするメモスタンド。【選択図】図１
2004203053.tif 000002
【特許請求の範囲】
【請求項１】
ベース部に組立式に立設するスタンド部を設け、スタンド部の前面に数本のスリットを入れ、スリットの切り口にテーパーを設けたメモスタンド。
【発明の詳細な説明】
【技術分野】
【０００１】  本発明は、スリットにメモ用紙を挟んで、立体的に、コンパクトに収納するメモスタンドに関するものである。
【背景技術】
【０００２】  従来、メモスタンドに関するものはなかった。
【発明の開示】
【発明が解決しようとする課題】
【０００３】  そのため、次のような問題点があった。
（イ）  メモされた用紙は、クリップなどでとめられ、複数のメモを見るとき、一枚一        枚めくるのが、容易ではなかった。
（ロ）  メモされた用紙は、机の上などに広げられ、場所を取った。
本発明は、これらの問題点を解決するためになされたものである。
【課題を解決するための手段】
【０００４】  ベース部に組立式に立設するスタンド部を設け、スタンド部の前面に斜め上方向に数本のスリットを入れ、スリットの切り口の下部にテーパーを設けたことを特徴とするメモスタンドである。
【発明の効果】
【０００５】  メモされた用紙を、立体的に、コンパクトに収納でき、各々のメモを見るときには、見たいメモの一枚上のメモ用紙の端を指先で持ち上げれば、容易に見ることができる。
【発明を実施するための最良の形態】
【０００６】  以下、本発明の実施の形態について説明する。
ベース部（１）とスタンド部（２）から構成される。板状のベース部（１）上面に横方向にスライド溝が設けられている。この溝は断面が下が広がった台形となったものである。スタンド部（２）はゴムより構成され、下部に、上記スライド溝に横方向から挿入させスタンド部（２）を立設させる突起片が設けられている。スタンド部（２）前面には複数のスリット（３）が上下に並設されている。各スリット（３）は前面から奥に向かうにつれて斜め上方向に切り込まれたものである。スリット（３）の切り込みの下部は図２に示すように差し込み時のガイドとなるようにテーパーとなっている。
本発明は、以上のような構成で、これを使用するときは、メモされた用紙（５）を、スリット（３）の切り口のテーパー（４）方向より、スリット（３）に差し込み、固定する。メモ用紙（５）をはずすときは、メモ用紙（５）を引き抜く。
【図面の簡単な説明】
【０００７】
【図１】  本発明の斜視図
【図２】  本発明のＡ部詳細図
【図３】  本発明の実施例を示す斜視図
【符号の説明】
【０００８】    １  ベース部
２  スタンド部
３  スリット
４  テーパー
５  メモされた用紙
【図１】
2004203053.tif 000003
【図２】
2004203053.tif 000004
【図３】
2004203053.tif 000005
(57)【要約】【課題】巻芯の無い手巻き用包装ストレッチフィルムの巻体を最後まで使用する。【手段】平板状の紙またはプラスチック製シートをパイプ状に丸めたものを巻芯の無いストレッチフィルムの巻体開口部から挿入し、巻体内周面に装着させて使用する。【選択図】図４
2004203475.tif 000002
【特許請求の範囲】
【請求項１】
巻芯の無い手巻き用包装ストレッチフィルムの巻体において、平板状の紙をパイプ状に丸めたものを前記巻体開口部から挿入し該巻体内周面に装着して使用することを特徴とする巻芯の無い手巻き用包装ストレッチフィルムの巻体。
【請求項２】
平板状の紙をプラスチック製シートにした請求項１記載の巻芯の無い手巻き
用包装ストレッチフィルムの巻体。
【発明の詳細な説明】
【０００１】
【発明の属する技術分野】
本発明は、巻芯の無い手巻き用包装ストレッチフィルムの巻体に関する。
【０００２】
【従来の技術】
従来の手巻き用包装ストレッチフィルムの巻体は、押出成型によってプラスチック樹脂を製膜化したフィルムを厚さ５〜７ｍｍ程度の紙管やプラスチック管の巻芯に数百メートル巻いたものが一般的である。前記巻芯は潰れにくく嵩張る他、近年のゴミ軽減や焼却の制限等の要請もあり、巻体を使用した後の該巻芯の取り扱いに苦慮している。最近は厚さの薄い巻芯にフィルムを巻いた巻体が販売され始めているが、巻芯は潰れやすくなったが、巻体使用後には必ず巻芯が残る。さらに、巻芯の無い手巻き用包装ストレッチフィルムの巻体も登場してきているが、ストレッチフィルムは巻体を引っ張り、フィルムを延ばしながら被包装物を巻いていくために、フィルムの使い始めは問題なく使用できるが、使用するうちにフィルムが少なくなり、該巻体の巻層が薄くなると、該巻体は引っ張り使用に耐えられず折れ曲がり、フィルムは最後まで使用しにくい。また、該巻体は巻体内周面からフィルムが解れやすい欠点があり、巻体開口部から挿入して使用する公知の筒状補助具は、補助具挿入時にこの解れに引っ掛かり使用しづらい。
【０００３】
【発明が解決しようとする課題】
本発明は、巻芯の無い手巻き用包装ストレッチフィルムの巻体において、平板状の紙やプラスチック製シートをパイプ状に丸めたものを該巻体開口部から挿入し巻体内周面に装着することで、該巻体が包装使用中に折れ曲がることなく最後まで使用可能とした巻芯の無い手巻き用包装ストレッチフィルムの巻体である。平板状の紙やプラスチック製シートをパイプ状に丸めたものだけの消耗品で該巻体の使用目的を充たすことができる。また、巻体一本毎に巻芯が存在せず、前記消耗品を何度も再利用することで、ゴミ軽減や焼却の制限等の要請に応え、巻芯の取り扱いの問題も消除できる。さらに、該巻体内周面にフィルムの解れがあっても、この解れに干渉しないように平板状の紙やプラスチック製シートをパイプ状により小さく丸めるだけで良い。
【０００４】
【課題を解決するための手段】
本発明巻体において使用する平板状の紙やプラスチック製シートは、形状は長方形で、幅は巻体より５〜１５ｍｍ程度狭い寸法で、厚さは０．３〜１．０ｍｍとし、長さは巻体内周長の１．５倍以上とする。
【０００５】
本発明巻体は使用するときに、平板状の紙やプラスチック製シートをパイプ状に丸めて巻体開口部に挿入させる。巻芯の無い手巻き用包装ストレッチフィルムの巻体内周面に発生するフィルムの解れがあっても、平板状の紙やプラスチック製シートはフィルムの解れに干渉しない程度に小さくパイプ状に丸めることで巻体開口部に挿入させることができ、パイプ状に丸めた反発で巻体の内周面に沿うようになる。
【０００６】
平板状の紙やプラスチック製シートは、幅が巻体幅より５〜１５ｍｍ程度狭いため、巻体使用中に巻体開口部外にずれ出てくることが無く、使用中に支障をきたすことがない。また、平板状の紙やプラスチック製シートは、厚さが０．３〜１．０ｍｍで長さが巻体内周長の１．５倍以上であるため、巻体を引っ張りながらの使用に耐えることができ、巻体は使用中に折れ曲がることなく最後まで使用できる。
【０００７】
【発明の実施の形態】
以下、図面を引用して本発明の形態を説明する。図面において、１は巻芯の無い手巻き用包装ストレッチフィルムの巻体、２は巻体開口部、３は巻体内周面、４は巻体の幅、５はフィルムの解れ、６は平板状の紙またはプラスチック製シートをパイプ状に丸めたものである。７は縦辺であり、巻体の幅４より５〜１５ｍｍ狭い寸法である。
【０００８】
巻芯の無い手巻き用包装ストレッチフィルムの巻体１を使用するときに、使用者は平板状の紙またはプラスチック製シートをパイプ状に丸めたもの６を巻体内周面３の径よりも小さく巻く。巻体内周面３にフィルムの解れ５があれば、フィルムの解れ５に干渉しないようにパイプ状に丸めたもの６をさらに小さく巻く。小さく巻いたパイプ状に丸めたもの６は、巻体開口部２から奥まで挿入する。挿入されたパイプ状に丸めたもの６は丸めた反発で、自然に巻体内周面３に沿うように装着される。
【０００９】
【発明の効果】
本発明の巻芯の無い手巻き用包装ストレッチフィルムの巻体は、平板状の紙やプラスチック製シートをパイプ状に丸めたものを巻体開口部から挿入し巻体内周面に装着することで、巻体が包装使用中に折れ曲がることなく最後まで使用できた。また、巻体一本毎に巻芯が存在せず、平板状の紙をパイプ状に丸めたものを何度も再利用でき、ゴミ軽減や焼却の制限等の要請に応え、巻芯の取り扱いの問題も解消できた。
【００１０】
さらに、巻体内周面にフィルムの解れがあっても、平板状の紙やプラスチック製シートをフィルムの解れに干渉しない程度の小さい径のパイプ状に丸めることで、巻体開口部に挿入させることができ、巻体内周面に装着することで、
手巻き用包装ストレッチフィルムの使用目的を充たすことができた。
【図面の簡単な説明】
【図１】巻芯の無い手巻き用包装ストレッチフィルムの巻体の斜図
【図２】巻体開口部から見た巻芯の無い手巻き用包装ストレッチフィルムの巻体
【図３】平板状の紙をパイプ状に丸めたものの斜図
【図４】本発明巻芯の無い手巻き用包装ストレッチフィルムの巻体の斜図
【図１】
2004203475.tif 000003
【図２】
2004203475.tif 000004
【図３】
2004203475.tif 000005
【図４】
2004203475.tif 000006
(57)【要約】【目的】ペットボトルのキャップを指の力が弱い人達でも容易に空けられ、それ専用にする事により製造コストを抑え供給出来る様にすることが目的である。【構成】ペットボトルのキャップ外径の凹凸にはめ込み、上手く嵌合するよう凹凸（２）を付け、握りやすく回しやすくするようにハンドル（１）を付けペットボトルのキャップを開けやすくした。【選択図】                図１
2004203478.tif 000002
【特許請求の範囲】
【請求項１】
ペットボトルのキャップを容易に開けられる専用道具。
【発明の詳細な説明】
この発明はペットボトルのキャップを容易に開ける為の道具である。
従来ペットボトルのキャップは最初に開ける時、幼児やお年寄りまたは指の力が弱い人達には開け辛く不便で有った。又従来品はペットボトル専用では無く複雑で製造コストも掛かり近年多様に使用されているペットボトルに、手軽に使用出来る物は無かった。
本発明は、その様な人達にも力をそれほど使わずにペットボトルのキャップを開けられ、又ほとんどのペットボトルのキャップ外径サイズがあまり変わらないことに着目し製造も容易で低コストにて供給出来る物を考えた。それを図面について説明すると（２）はペットボトルのキャップにかぶせはめ込む部分、この凹凸がペットボトルキャップ外径の凹凸にくい付く。（１）はハンドル部分でここを握りペットボトルのキャップを回しキャップを開けるので、工具のレンチやスパナなどで、閉め込んだボルト等を外すときの様な感じで力はそれほど必要無く開ける事が出来る。又、使用後は（３）からペットボトルのキャップを押し出せる。  このような物なので、ペットボトルのキャップに、はめ込む部分の凹凸がペットボトルのキャップの凹凸にしっかり嵌合していればハンドル部分は握りやすく回しやすければどの様な形状でも良い。
【図面の簡単な説明】
【図  １】本発明のペットボトルのキャップにはめ込む側からの斜視図である。
【図  ２】図  １の裏側からの斜視図である。
【図  ３】本発明の使用中の斜視図である。
【符号の説明】
１はハンドル部分，２はペットボトルのキャップにはめ込む凹凸部分，３は外れたキャップを押し出す穴，４はペットボトル，５はペットボトル専用キャップオープナー。
【図１】
2004203478.tif 000003
【図２】
2004203478.tif 000004
【図３】
2004203478.tif 000005
(57)【要約】【課題】収穫したものを入れたコンテナを３段、４段と重ねた集まりを運搬するときコンテナの荷崩れを防ぐようにしたコンテナ挟み器を提供する。【解決手段】八角形板（１）にｒ曲げ板（２）を一辺とばしに、１つづつ４ケ所に取り付けたことを特徴とする。【選択図】  図３
2004203476.tif 000002
【特許請求の範囲】
【請求項１】
八角形板（１）に、ｒ曲げ板（２）を一辺とばしに１つづつ、４ケ所設けた、コンテナ挟み器
【発明の詳細な説明】
【０００１】
【発明の属する技術分野】
この発明は、運搬中のコンテナの揺れを少なくし、荷崩れを防ぐようにしたコンテナの荷崩れ防止に関するものである。
【０００２】
【従来の技術】
コンテナは、縦に何段も重ねるように出来ているが重ねたものがいくつか集まってもコンテナとコンテナを結ぶ横のつなぎがなく運搬時にとても不安定であった。
【０００３】
【発明が解決しようとする課題】
これはつぎのような欠点があった。
コンテナの中に、じゃが芋や玉葱など収穫したものを入れ、３段、４段と重ねたコンテナの集まりを運搬するとき、コンテナが揺れ荷崩れをおこすこともあり、危険で、落ちたものを集めたりして、きわめてわずらわしい作業であった。また、商品となるものを傷める原因にもなっていた。
本発明は、以上のような欠点をなくすためになされたものである。
【０００４】
【課題を解決するための手段】
八角形板（１）に、ｒ曲げ板（２）を設ける。
本発明は以上の構成よりなる、コンテナ挟み器である。
【０００５】
【発明の実施の形態】
以下、本発明の実施の形態について説明する。
八角形板（１）に、ｒ曲げ板（２）を、一辺とばしに１つづつ４ケ所設ける。本発明は、以上のような構造でこれを使用するときは、コンテナのあつまりの上部を一角ずつ計４角を挟みこむものである。
【０００６】
【発明の効果】
コンテナに挟みこむだけで、コンテナどうしの横のつながりで荷崩れを防ぐことができる。ｒ曲げ板（２）をｒにしたためコンテナの角の内のｒ部分に密着してコンテナ挟み器の上にもコンテナを重ねることが出来るようにした。また八角形の板（１）の中心に、穴を設けたため紐などで結ぶことができる。八角形の板（イ）の辺を直線にしても使用にはなんの支障もない。また、八角形の板（１）にｒ曲げ板（２）を設けていない辺（イ）を、ｒ曲げ板（２）を設けた辺より直径を小さくしたので、使用しないときコンテナ挟み器を重ねて収納できる。
【図面の簡単な説明】
【図１】本発明の平面図である。
【図２】本発明の正面図である。
【図３】本発明の斜視図である。
【図４】本発明の使用状況図である。
【符号の説明】
（１）          八角形板
（２）          ｒ曲げ板
（イ）          ｒ曲げ板（２）を設けていない辺
【図１】
2004203476.tif 000003
【図２】
2004203476.tif 000004
【図３】
2004203476.tif 000005
【図４】
2004203476.tif 000006
(57)【要約】（課題）      従来のものでは、汚れてしまった時や濡れてしまった時、そのまま使うしかありませんでした。又資源の問題もあります（解決手段）  ラップの箱をプラスチックにする事で汚れても拭ける、衛生的です。詰め替え用にできれば  資源の節約になります。そのまま箱ごとしまってもオシャレです【選択図】    図１
2004203477.tif 000002
【特許請求の範囲】
【請求項１】
プラスチックのラップ、ホイル、クッキングペーパーの詰め替え用の箱
【発明の詳細な説明】
【０００１】衛生的濡れても拭ける
【０００２】オシャレ
【０００３】資源の節約
【０００４】スケルトンで中が見える
【０００５】刃で手を切りずらい
【０００６】従来のものでは汚れてもそのまま使っていました
【０００７】詰め替え用として
【図面の簡単な説明】
【図１】全体図
【図１】
2004203477.tif 000003